(57)【要約】      （修正有）【課題】作業効率の向上及び入力ミスの防止を図る。【解決手段】クランプメータやリモート温度測定器に、通信機能を付加し、クランプメータ等のデータホールド釦を押すと、自動的に測定値が個人用携帯端末へ伝送される様にした。事務所に設置したパソコンで表計算により、帳票を変更し、同じフォーマットを個人用携帯端末でも使用する事にして処理を単純化した。【選択図】図１
2007078523.tif 000002
【特許請求の範囲】
【請求項１】
分散配置した電気設備の点検、測定を行い、報告書を現場で
印刷する移動データ蒐集システムにおいて、電流測定器や
温度測定器のデータ保持釦を押す事で、測定値が個人用携帯端末に
自動的に取り込まれる様にした移動データ蒐集システム。
【請求項２】
請求項１のデータ蒐集システムにおいて、蒐集したデータを蓄積し
設備の状態の経年変化を評価できる様にする為に、事務所に設置
したパソコンと個人用携帯端末の間で、報告書の様式や測定値を
相互に交換できる様にした移動データ蒐集システム。
【請求項３】
請求項１のデータ蒐集システムにおいて、点検、測定対象設備が
増設や廃止になり、報告書の様式が変更になっても、対応ができる
移動データ蒐集システム。
【発明の詳細な説明】
【技術分野】
【０００１】
分散した電気設備の保守点検、予防保全の技術分野に適用される。
【背景技術】
【０００２】
高圧受電設備の健全状態を判断し、事故を予防する為に定期的に
各設備の機器類を点検をする事が電気事業法で義務付けられている。
主なものに活線状態で実施する、月次点検がある。
関連の既出願としては、
【特許文献１】特開２００１−２８２４０７号公報。
【特許文献２】特開平１０−３２６１３９号公報。
【特許文献３】特開平９−１８５４４６号公報  がある。
【０００３】
自家用受電設備の健全状態を判断する為のデータとしては
各機器(動力変圧器、電灯変圧器、進相コンデンサー)の負荷電流
漏れ電流の測定、温度の測定等が行われている。
好天の日には、一日に2〜4箇所の顧客を測定して廻る為に
自動車で移動する必要がある。
【０００４】
具体的には、負荷電流、漏れ電流はディジタルクランプ・メータ1により
測定し、温度は安全のために、レーザー光応用のリモート測定が行われている。
ディジタルクランプ・メータには、データホールド釦3があり、測定値を
目視で読み終わるまで、保持する機能がある。
【０００５】
温度の測定では、トリガー釦4があり、これの操作により、一定時間
データが表示・保持される。
【０００６】
測定値は、カーボン紙を挟んだ報告書にボールペンで手書きで記入し、
測定結果は、最終的に報告書の形で顧客に提出される。
【０００７】
次に、事務所へ戻って、事務所に設置したパソコンに測定値のデータを
キーボードにより入力し、データを蓄積して設備の状態の経年変化等を
判定できる様にする。
【０００８】
続いて、翌月の点検の為に、 数値のみ未記入の報告書を印刷する。
【発明の開示】
【発明が解決しようとする課題】
【０００９】
測定値を蒐集する作業は、測定値を目視で読み取り、報告書に手書き
記入する動作があり、読み間違い、書き間違いのミスが発生する。
しかも、この様な動作の為に作業効率が低下している。
【００１０】
測定値の入力作業は、現場での手書き記入と、事務所でのキーボード入力
の2回、同じデータについて行っている。
これは無駄であり、ミスの発生原因になるので、この入力を1回にして
しかも、ワンタッチにして省力化を実現する。
【００１１】
測定の対象となる設備は、増設や廃止等により変更される事がしばしば
起こりうる。
これに伴って、報告書の様式を変更する必要があるが、この変更作業を
ソフト開発会社に依頼すると高額の費用を請求される問題がある。
【００１２】
手書きの報告書では、文字が読みづらくなりがちであるので、印刷された
綺麗な報告書を出せる様にする。
【課題を解決するための手段】
【００１３】
図−２に示す様に、クランプメータ1やリモート温度測定器2には通信機能16
を装備しており、測定値を個人用携帯端末（以下ＰＤＡ 6）へ伝送できる。
現場で測定する時は、コネクタ13、14を抜き離し、ＰＤＡ 6とクランプメータ  1
及びリモート温度測定器2を持って現場へ移動する。
【００１４】
図−３に示す様に、電流を測定する場合は、クランプメータ  1のコネクタ  5を
ＰＤＡ 6に接続する。
報告書の様式がＰＤＡの画面8に表示されておりこれをシートと呼ぶ。
図−３では、4行B列が選択されており、この交点が選択されたセルである。
選択されたセルは、セルの枠を太線にするか、背景色を変える等認識を
容易にする。
【００１５】
セル・セレクト釦7により、セルの選択は矢印の方向に自由に移動できる。
シート上で測定値を取り込むセルをセル・セレクト釦7で選択して、
クランプメータ  1のコアを、測定対象の電線に結合して、ホールド釦3を押すと
イベント信号(プログラムの起動指令)が発生し、クランプメータ  1の表示部21に
表示されている測定値を自動的にＰＤＡ  6に伝送しＰＤＡの画面8のセル20に
表示され入力される。
【００１６】
温度の測定も同様に、コネクタ  5をＰＤＡ 6に接続する。
レーザー光を測定対象に合わせて、トリガー釦4を押すとイベント信号が
発生し、データをセルに取り込む。この繰返しで作業が進行する。
【００１７】
現場での測定が全て終了すると、ＰＤＡ  6を自動車内へ移動し、コネクタ13 14
を接続し、天候等その他必要なデータを追記して、報告書を完成する。
自動車内でプリンターにより必要部数を印刷し捺印して顧客に提出する。
【００１８】
プリンターに印刷した内容と同じデータを、ＩＣメモリー18に記録する。
事務所に戻って、ＩＣメモリー18の内容を、事務所のパソコン17に転送する。
ＰＤＡ  6には、ペン入力機能もあり、通信機能が故障した場合のバックアップ
として数字、文字の入力ができる。
【００１９】
設備の変更に伴う報告書の様式変更は、事務所のパソコンで行い、
ＰＤＡ  6へ転送する事で同じ様式を参照できるので問題ない。
但し、表計算ソフトの機能について、ある程度の習熟は必要である。
【発明の効果】
【００２０】
測定値データの入力作業が1回で、しかも釦の操作で出来るので、作業効率
が大幅に良くなり、入力ミスが減少する。
【００２１】
設備の変更に伴う報告書の様式の変更の費用が極めて僅かでできる。
【発明を実施するための最良の形態】
【００２２】
コスト・ミニマムの考えで構成した場合を図−１に示す。クランプメータ  1
及びリモート温度測定器2とＰＤＡ  6の間の伝送方式は、シリアル方式と
パラレル方式があるが、伝送の情報量が少ないのでシリアル方式が好ましい。
シリアル方式の方が、ケーブルの芯数も少なくしなやかで扱い易い。
【実施例１】
【００２３】
より便利にするには、事務所パソコン17とＰＤＡ  6のインターフェースは
無線LANあるいは赤外線方式とする事もできる。
クランプメータ  1及びリモート温度測定器2とＰＤＡ  6のインターフェースは
無線又は赤外線方式とすれば、信号ケーブルが邪魔にならずに使い易い。
しかし、信号の到達距離、可視範囲か如何か等実地検証が必要である。
【図面の簡単な説明】
【００２４】
【図１】報告書半自動入力システム構成図（全体）
【図２】報告書半自動入力システム構成図（現場測定時）
【図３】シートとセルの選択
【符号の説明】
【００２５】
１ ディジタルクランプメータ
２ リモート温度測定器
３ ホールド釦
４ トリガー釦
５ コネクタ
６ ＰＤＡ（個人用携帯端末）
７ セル・セレクト釦
８ ＰＤＡの表示画面
９ プリンタ
１０ プリンタ用紙（報告書）
１１ ＡＣアダプタ
１２ ＡＣアダプタ
１３ 信号コネクタ（ＵＳＢ）
１４ 電源コネクタ
１５ インバータ
１６ 通信機能
１７ 事務所パソコン
１８ ＩＣメモリー
１９ レーザー光
２０ 選択されたセル
２１ 測定値表示部
【図１】
2007078523.tif 000003
【図２】
2007078523.tif 000004
【図３】
2007078523.tif 000005